(57)【要約】【課題】シャッタメガネ方式を用いた立体映像表示システムにおいて、視聴者が快適に映像を見ることができるようにする。【解決手段】立体映像鑑賞用メガネ１００は、表示面に時分割に表示される右眼用映像と左眼用映像に同期して、右眼用シャッタと左眼用シャッタが時分割に開閉する。立体映像鑑賞用メガネ１００において、光検出センサ１２は、周辺光を検出する。制御部１５は光検出センサ１２の出力信号から検出されるフリッカ量に応じて、右眼用シャッタおよび左眼用シャッタの開口量を制御する。【選択図】図４
2012109783.tif 000002
【特許請求の範囲】
【請求項１】
表示面に時分割に表示される右眼用映像と左眼用映像に同期して、右眼用シャッタと左眼用シャッタが時分割に開閉する立体映像鑑賞用メガネであって、
周辺光を検出するための光検出センサと、
前記光検出センサの出力信号から検出されるフリッカ量に応じて、前記右眼用シャッタおよび前記左眼用シャッタの開口量を制御する制御部と、
を備えることを特徴とする立体映像鑑賞用メガネ。
【請求項２】
前記光検出センサの出力信号から、単位時間当たりのフリッカ量を検出するフリッカ量検出部と、
前記光検出センサの出力信号から単位時間当たりの光量を検出する光量検出部と、をさらに備え、
前記制御部は、前記フリッカ量および前記光量をそれぞれ重み付けして、合算した合計量に応じて、前記右眼用シャッタおよび前記左眼用シャッタの開口量を制御することを特徴とする請求項１に記載の立体映像鑑賞用メガネ。
【請求項３】
ユーザ操作に起因して前記重み付けの調整を受け付ける操作部をさらに備えることを特徴とする請求項２に記載の立体映像鑑賞用メガネ。
【請求項４】
表示面に時分割に表示される右眼用映像と左眼用映像に同期して、右眼用シャッタと左眼用シャッタが時分割に開閉する立体映像鑑賞用メガネであって、
周辺光を検出するための光検出センサと、
前記光検出センサの出力信号から検出される光量に応じて、前記右眼用シャッタおよび前記左眼用シャッタの開口量を制御する制御部と、
を備えることを特徴とする立体映像鑑賞用メガネ。
【請求項５】
表示面に右眼用映像と左眼用映像を時分割に表示する表示装置と、
前記表示面に時分割に表示される右眼用映像と左眼用映像に同期して、右眼用シャッタと左眼用シャッタが時分割に開閉する立体映像鑑賞用メガネと、を備え、
前記表示装置は、
周辺光を検出するための光検出センサと、
前記光検出センサの出力信号から検出されるフリッカ量および光量の少なくとも一方に応じて、前記右眼用シャッタおよび前記左眼用シャッタの開口量を制御するための制御信号を生成する第１制御部と、
前記表示装置と前記立体映像鑑賞用メガネの時分割動作の同期をとるための同期信号と、前記第１制御部により生成された制御信号を前記立体映像鑑賞用メガネに送信する第１通信部と、を有し、
前記立体映像鑑賞用メガネは、
前記同期信号および前記制御信号を受信する第２通信部と、
前記制御信号に応じて、前記右眼用シャッタおよび前記左眼用シャッタの開口量を制御する第２制御部と、を有する
ことを特徴とする立体映像表示システム。
【発明の詳細な説明】
【技術分野】
【０００１】
本発明は、立体映像を鑑賞するための立体映像鑑賞用メガネ、および立体映像鑑賞用メガネを用いる立体映像表示システムに関する。
【背景技術】
【０００２】
人間の両眼は数ｃｍほど離れているため、右眼と左眼で得られる像には位置ずれがある。人間の脳はこの位置ずれを一つの手がかりとして奥行きを認識している。逆にいえば、この両眼に写すべき像の位置ずれ量を調整することにより、脳に擬似的に奥行きを認識させることができる。この両眼視差を利用して、平面映像（以下適宜、２Ｄ映像と表記する）を立体映像（以下適宜、３Ｄ映像と表記する）として脳に認識させる手法が実用化されている。
【０００３】
近年、３Ｄ対応テレビ、３Ｄ対応プロジェクタ、３Ｄ対応デジタルカメラおよび３Ｄ対応ゲーム機など、様々な３Ｄ対応機器の一般消費者向けの販売が開始され、３Ｄ対応機器の普及期に入っている。
【０００４】
両眼視差を利用した３Ｄ映像表示システムには、大別するとメガネ方式と裸眼方式があるが、前者のなかではシャッタメガネ方式が普及しつつある。シャッタメガネ方式は、表示装置が視差を持つ右眼用映像と左眼用映像を高速で交互に表示し、シャッタメガネがそれに同期して右眼用シャッタと左眼用シャッタを交互に開閉する方式である。右眼に右眼用映像を見せ、左眼に左眼用映像を見せることにより、右眼と左眼に視差を持つ映像を見せることができ、立体映像を認識させることができる。シャッタメガネ方式のなかでは、低コスト化、高速化が進んできている液晶シャッタメガネ方式が普及しつつある。また、液晶シャッタメガネの透過率も向上してきている。
【先行技術文献】
【特許文献】
【０００５】
【特許文献１】特開２００９−１７５４１号公報
【発明の概要】
【発明が解決しようとする課題】
【０００６】
シャッタメガネ方式を用いた３Ｄ映像表示システムでも、明るい場所で映像を見る場合、周辺光の眩しさや照明のちらつきによって映像が見にくくなることがある。たとえば、表示装置の周囲の照明に蛍光灯やＬＥＤ電球を使用している場合、ちらつきが発生しやすくなる。
【０００７】
本発明はこうした状況に鑑みなされたものであり、その目的は、シャッタメガネ方式を用いた立体映像表示システムにおいて、視聴者が快適に映像を見ることができる技術を提供することにある。
【課題を解決するための手段】
【０００８】
本発明のある態様の立体映像鑑賞用メガネは、表示面に時分割に表示される右眼用映像と左眼用映像に同期して、右眼用シャッタと左眼用シャッタが時分割に開閉する立体映像鑑賞用メガネであって、周辺光を検出するための光検出センサと、光検出センサの出力信号から検出されるフリッカ量に応じて、右眼用シャッタおよび左眼用シャッタの開口量を制御する制御部と、を備える。
【０００９】
本発明の別の態様もまた、立体映像鑑賞用メガネである。この立体映像鑑賞用メガネは、表示面に時分割に表示される右眼用映像と左眼用映像に同期して、右眼用シャッタと左眼用シャッタが時分割に開閉する立体映像鑑賞用メガネであって、周辺光を検出するための光検出センサと、光検出センサの出力信号から検出される光量に応じて、右眼用シャッタおよび左眼用シャッタの開口量を制御する制御部と、を備える。
【００１０】
本発明のさらに別の態様は、立体映像表示システムである。この立体映像表示システムは、表示面に右眼用映像と左眼用映像を時分割に表示する表示装置と、表示面に時分割に表示される右眼用映像と左眼用映像に同期して、右眼用シャッタと左眼用シャッタが時分割に開閉する立体映像鑑賞用メガネと、を備える。表示装置は、周辺光を検出するための光検出センサと、光検出センサの出力信号から検出されるフリッカ量および光量の少なくとも一方に応じて、右眼用シャッタおよび左眼用シャッタの開口量を制御するための制御信号を生成する第１制御部と、表示装置と立体映像鑑賞用メガネの時分割動作の同期をとるための同期信号と、第１制御部により生成された制御信号を立体映像鑑賞用メガネに送信する第１通信部と、を有する。立体映像鑑賞用メガネは、同期信号および制御信号を受信する第２通信部と、制御信号に応じて、右眼用シャッタおよび左眼用シャッタの開口量を制御する第２制御部と、を有する。
【００１１】
なお、以上の構成要素の任意の組み合わせ、本発明の表現を方法、装置、システムなどの間で変換したものもまた、本発明の態様として有効である。
【発明の効果】
【００１２】
本発明によれば、シャッタメガネ方式を用いた立体映像表示システムにおいて、視聴者が快適に映像を見ることができる。
【図面の簡単な説明】
【００１３】
【図１】フレームシーケンシャル方式の原理を説明するための図である。
【図２】図２（ａ）は液晶層の両端電極に印加する電圧（低電圧）を示し、図２（ｂ）は図２（ａ）に示す電圧が印加された液晶層内の液晶分子の振る舞いを示す。
【図３】図３（ａ）は液晶層の両端電極に印加する電圧（高電圧）を示し、図３（ｂ）は図３（ａ）に示す電圧が印加された液晶層内の液晶分子の振る舞いを示す。
【図４】本発明の実施の形態１に係る映像表示システムの構成を示す図である。
【図５】光量検出部、フリッカ量検出部および制御部の具体的構成例を示す図である。
【図６】本発明の実施の形態１に係る立体映像鑑賞用メガネの動作を説明するためのフローチャートである。
【図７】本発明の実施の形態２に係る映像表示システムの構成を示す図である。
【発明を実施するための形態】
【００１４】
図１は、フレームシーケンシャル方式の原理を説明するための図である。表示装置は表示面に、水平方向に視差を持つ右眼用映像と左眼用映像とを時分割に（たとえば、交互に）高速に表示する。以下、本明細書では右眼用映像および左眼用映像のそれぞれが６０Ｈｚで表示される例を想定する。したがって、この例では映像全体では１２０Ｈｚで表示される。このフレームレートで動作するフレームシーケンシャル方式を採用した場合、一般的な６０Ｈｚで表示される２Ｄ映像と同一の解像度およびフレームレートで鑑賞することができる。
【００１５】
立体映像鑑賞用メガネ１００は、表示面に時分割に表示される右眼用映像と左眼用映像に同期して、右眼用シャッタと左眼用シャッタが時分割に（たとえば、交互に）開閉する。すなわち、立体映像鑑賞用メガネ１００はシャッタメガネ方式を採用する。以下、本実施の形態では液晶シャッタメガネ方式を想定する。上述したように、表示面に右眼用映像が表示されるタイミングでは右眼用シャッタが開き、かつ左眼用シャッタが閉じることにより、視聴者は右眼用映像のみを見る。一方、表示面に左眼用映像が表示されるタイミングでは左眼用シャッタが開き、かつ右眼用シャッタが閉じることにより、視聴者は左眼用映像のみを見る。これにより、視聴者の脳の中で３Ｄ映像が認識される。
【００１６】
図１にて、第１右眼用フレーム画像ＩＲ１および第１左眼用フレーム画像ＩＬ１では、視聴者はそれらに写ったオブジェクトを見ようとすると眼が離れるため、結像位置が遠くなり、視聴者はオブジェクトが表示面より遠くに存在するように感じる。第２右眼用フレーム画像ＩＲ２および第２左眼用フレーム画像ＩＬ２は、同じ画像であるため、視聴者はオブジェクトが表示面に存在するように感じる。第３右眼用フレーム画像ＩＲ３および第３左眼用フレーム画像ＩＬ３では、視聴者はそれらに写ったオブジェクトを見ようとすると眼が寄るため、結像位置が近くなり、視聴者はオブジェクトが表示面より近くに存在するように感じる。
【００１７】
図２、図３は、液晶シャッタの原理を説明するための図である。図２（ａ）は液晶層の両端電極に印加する電圧（低電圧）を示し、図２（ｂ）は図２（ａ）に示す電圧が印加された液晶層内の液晶分子ｃｍの振る舞いを示す。図３（ａ）は液晶層の両端電極に印加する電圧（高電圧）を示し、図３（ｂ）は図３（ａ）に示す電圧が印加された液晶層内の液晶分子ｃｍの振る舞いを示す。なお、図２（ｂ）、図３（ｂ）内の矢印線は、液晶層を透過する光ｌを示している。当該矢印線が太いほど、当該液晶層を透過する光量が多いことを示している。
【００１８】
図２、３では、ＯＣＢ（Optically Compensated Bend）型液晶を用いた例を描いている。ＯＣＢ型は、無電界時には液晶が弓状に配列し、電圧印加時にはほぼ直線状に並ぶ。すなわち、ＯＣＢ型では、液晶層に印加する電圧を小さくするほど、液晶が弓状に配列され光透過率が低くなる（図２ｂ参照）。一方、液晶層に印加する電圧を高くするほど、液晶が直線状に配列され光透過率が高くなる（図３ｂ参照）。なお、本明細書では配向膜など、液晶層と電極との間の材料は無視して考える。ＯＣＢ型液晶は、弓状から直線状に変化することで発生する液晶の流れと、液晶分子の配向の変化がお互いを阻害することなく、配向の変化が液晶の流れを加速するように働くため、高速応答性を持つ。
【００１９】
（実施の形態１）
図４は、本発明の実施の形態１に係る映像表示システム５００の構成を示す図である。映像表示システム５００は、表示装置２００および立体映像鑑賞用メガネ１００を備える。以下、本実施の形態では表示装置２００として投写型映像表示装置（以下、プロジェクタと表記する）を用いる例を説明する。プロジェクタを用いる場合、投写映像を表示するための表示面として、スクリーンや壁などの投影面３００が必要となる。なお、プロジェクタの代わりに液晶ディスプレイ、プラズマディスプレイ、有機ＥＬディスプレイなどが用いられてもよい。その場合、本体と表示面は一体である。
【００２０】
立体映像鑑賞用メガネ１００は、通信部１０、同期調整部１１、光検出センサ１２、光量検出部１３、フリッカ量検出部１４、制御部１５、右眼用シャッタ駆動部１６、左眼用シャッタ駆動部１７、右眼用シャッタ１８、左眼用シャッタ１９および操作部３０を備える。表示装置２００は、映像保持部２１、投写部２２、通信部２３および制御部２４を備える。
【００２１】
まず、表示装置２００（本実施の形態ではプロジェクタ）について説明する。映像保持部２１は、投影面３００に投写すべき動画像データを保持する。本実施の形態では、上述した所定の視差を持つ右眼用映像と左眼用映像を保持する。この右眼用映像と左眼用映像は２つの視点を持つ専用のカメラで撮影されたものであってもよいし、２Ｄ映像から所定の画像処理を経て生成されたものであってもよい。
【００２２】
投写部２２は、映像保持部２１から供給される右眼用映像と左眼用映像を、制御部２４から供給される同期信号にしたがい、投影面３００に投写する。投写部２２は、図示しない光源、光変調部およびレンズを含む。
【００２３】
当該光源には、フィラメント型の電極構造を有するハロゲンランプ、アーク放電を発生させる電極構造を有するメタルハライドランプ、キセノンショートアークランプ、高圧型の水銀ランプ、ＬＥＤランプなどを採用することができる。当該光変調部は、入力される映像データに応じて、当該光源から入射される光を変調する。たとえば、当該光変調部にはＤＭＤ（Digital Micromirror Device）を採用することができる。ＤＭＤは、画素数に対応した複数のマイクロミラーを備え、各マイクロミラーの向きが各画素信号に応じて制御されることにより、所望の映像光を生成する。その映像光は当該レンズにより拡大され、投影面３００に投写される。
【００２４】
制御部２４は表示装置２００全体を統括的に制御する。実施の形態１では、映像保持部２１、投写部２２、通信部２３に映像同期信号（たとえば、水平同期信号）を供給する。通信部２３は制御部２４から供給される映像同期信号を、立体映像鑑賞用メガネ１００の通信部１０に無線または有線で送信する。たとえば、赤外線通信で送信する。
【００２５】
つぎに、立体映像鑑賞用メガネ１００について説明する。通信部１０は、表示装置２００の通信部２３から、表示装置２００と立体映像鑑賞用メガネ１００の時分割動作の同期をとるための映像同期信号を受信し、同期調整部１１に供給する。同期調整部１１は、遅延回路を含む。当該遅延回路は通信部１０から供給される映像同期信号を半周期、遅延させる。同期調整部１１は、右眼用映像の映像同期信号が供給された場合、その映像同期信号を右眼用シャッタ駆動部１６に供給し、遅延させた映像同期信号を左眼用シャッタ駆動部１７に供給する。左眼用映像の映像同期信号が供給された場合、その逆の処理となる。
【００２６】
光検出センサ１２は、周辺光を検出するためのセンサである。周辺光とは、立体映像鑑賞用メガネ１００周辺の光（主に環境光）を指す。光量検出部１３は、光検出センサ１２の出力信号から単位時間当たりの光量を検出する。フリッカ量検出部１４は、光検出センサ１２の出力信号から臨界融合周波数（ＣＦＦ；Critical Flicker Frequency）以下の周期成分を抽出し、単位時間当たりのフリッカ量を検出する。光の明暗が時間的に変化する場合、人間の視覚系は、臨界融合周波数まではその明暗の変化を知覚することができるが、それを超えると、その明暗の変化を知覚することができなくなる。すなわち、融合して一定の明るさの光と知覚するようになる。一般的に、臨界融合周波数は３０Ｈｚ〜７０Ｈｚの範囲に存在する。
【００２７】
制御部１５は、立体映像鑑賞用メガネ１００全体を統括的に制御する。本実施の形態では、光検出センサ１２の出力信号から検出される光量およびフリッカ量の少なくとも一方に応じて、右眼用シャッタおよび左眼用シャッタの開口量を制御する。より具体的には、当該光量およびフリッカ量の少なくとも一方が多いほど当該開口量を少なくし、当該光量およびフリッカ量の少なくとも一方が少ないほど当該開口量を多くする。このように、制御部１５は、当該開口量を適応的に変化させる。なお、制御部１５はフリッカ量および光量をそれぞれ重み付けして、それらを合算した合計量に応じて、右眼用シャッタおよび左眼用シャッタの開口量を制御してもよい。
【００２８】
液晶シャッタメガネの場合、当該開口量は光透過率で定義することができる。当該開口量の範囲は、設計者により設定される最小の光透過率を下限とし、採用した液晶の最大の光透過率を上限とする範囲に設定することができる。制御部１５は、その範囲で光透過率を決定する。上述したように光透過率は液晶層の両端電極に印加する電圧により決定されるため、制御部１５はこの印加電圧を決定することにより、上記開口量を決定することができる。
【００２９】
図５は、光量検出部１３、フリッカ量検出部１４および制御部１５の具体的構成例を示す図である。図５では光検出センサ１２はフォトダイオードで構成されることを前提とする。光量検出部１３は、電流−電圧変換回路１３１およびＡ／Ｄ変換器１３２を含む。フリッカ量検出部１４は、フィルタ回路１４１、整流回路１４２、積分回路１４３およびＡ／Ｄ変換器１４４を含む。制御部１５は、光量／印加電圧変換テーブル１５１、フリッカ量／印加電圧変換テーブル１５２、演算部１５３およびタイミング調整部１５４を含む。
【００３０】
電流−電圧変換回路１３１は、上記フォトダイオードに流れる光電流を電圧（アナログ信号）に変換し、Ａ／Ｄ変換器１３２に出力する。Ａ／Ｄ変換器１３２は、電流−電圧変換回路１３１から入力されるアナログ信号をデジタル信号に変換し、制御部１５に出力する。
【００３１】
フィルタ回路１４１はバンドパスフィルタで構成され、当該バンドパスフィルタは上記フォトダイオードに流れる光電流から人間がフリッカと感じる周波数領域の成分を抽出する。人間がフリッカと感じる周波数領域は、直流成分を除き、臨界融合周波数までである。整流回路１４２は、フィルタ回路１４１により抽出された交流成分を整流して直流成分に変換する。積分回路１４３は、整流回路１４２から出力される信号（アナログ信号）を所定の時間単位で積分する。Ａ／Ｄ変換器１４４は、積分回路１４３から入力されるアナログ信号をデジタル信号に変換し、制御部１５に出力する。
【００３２】
光量／印加電圧変換テーブル１５１は、Ａ／Ｄ変換器１３２から入力される光量を示すデジタル信号と、上記液晶層の両端電極に印加すべき印加電圧とを対応づけたテーブルである。この対応づけは、設計者が実験やシミュレーションにより求めた値を使用することができる。ＯＣＢ型液晶を用いる場合、光量が多いほど印加電圧が低くなるように設定される。周辺光の光量が多いほどユーザの眼に入る映像光以外の光量が増大し、ユーザにとって映像が見にくくなる。したがって、印加電圧を低くすることにより、シャッタの開口量を少なくしてユーザの眼に入る光量を少なくする。
【００３３】
フリッカ量／印加電圧変換テーブル１５２は、Ａ／Ｄ変換器１４４から入力されるフリッカ量を示すデジタル信号と、上記液晶層の両端電極に印加すべき印加電圧とを対応づけたテーブルである。この対応づけも、設計者が実験やシミュレーションにより求めた値を用いることができる。ＯＣＢ型液晶を用いる場合、フリッカ量が多いほど印加電圧が低くなるように設定される。周辺光のフリッカ量が多いほどユーザの眼に入るフリッカ量が増大し、ユーザにとって映像が見にくくなる。したがって、印加電圧を低くすることにより、シャッタの開口量を少なくしてユーザの眼に入るフリッカ量を少なくする。
【００３４】
演算部１５３は、光量／印加電圧変換テーブル１５１により変換された第１印加電圧と、フリッカ量／印加電圧変換テーブル１５２により変換された第２印加電圧とを加算する。加算する際、第１印加電圧と第２印加電圧をそれぞれ所定の係数で重み付けしてもよい。たとえば、第１印加電圧に掛ける係数α（０≦α≦１）と第２印加電圧に掛ける係数β（０≦β≦１）の関係が条件式α＋β＝１を満たすように設定されてもよい。タイミング調整部１５４は、上記フォトダイオードの露出タイミングを制御する。
【００３５】
図４に戻る。操作部３０は、ユーザ操作に起因して重み付けの調整を受け付ける。たとえば、操作部３０がダイヤルで構成され、当該ダイヤルをユーザが時計周りに回転させると、上記条件式を満たしながら上記係数αの値が増加し、上記係数βの値が減少し、反時計周りに回転させると、上記条件式を満たしながら上記係数αの値が減少し、上記係数βの値が増加する設計であってもよい。また、ダイヤルの代わりに二方向ボタンを用いてもよい。
【００３６】
右眼用シャッタ駆動部１６は、同期調整部１１から供給される映像同期信号にしたがい、右眼用シャッタ１８の液晶層の両端電極に、制御部１５から設定される電圧を印加する。左眼用シャッタ駆動部１７も同様に、同期調整部１１から供給される映像同期信号にしたがい、左眼用シャッタ１９の液晶層の両端電極に、制御部１５から設定される電圧を印加する。
【００３７】
図６は、本発明の実施の形態１に係る立体映像鑑賞用メガネ１００の動作を説明するためのフローチャートである。制御部１５は、光量検出部１３およびフリッカ量検出部１４から光量およびフリッカ量を取得する（Ｓ１０）。つぎに、制御部１５は取得した光量およびフリッカ量をそれぞれ印加電圧に変換する（Ｓ１１）。つぎに、それぞれの印加電圧にそれぞれの係数を掛けて重み付けし（Ｓ１２）、重み付けられた両印加電圧を加算する（Ｓ１３）。
【００３８】
制御部１５は、加算した印加電圧を右眼用シャッタ駆動部１６および左眼用シャッタ駆動部１７に設定する（Ｓ１４）。制御部１５が、ユーザの停止操作や動画コンテンツの再生終了に伴い表示装置２００から通知される映像表示終了指示を受け付けない間（Ｓ１５のＮ）、制御部１５は所定時間（たとえば、１０秒、１分など）が経過したか否かを判定する（Ｓ１６）。所定時間が経過した場合（Ｓ１６のＹ）、ステップＳ１０〜ステップＳ１５の動的印加電圧制御処理を繰り返す。ステップＳ１５にて、上記映像表示終了指示を受け付けた場合（Ｓ１５のＹ）、全体の処理を終了する。なお、当該映像表示終了指示は上記映像同期信号の送信終了により表示装置２００から通知されてもよい。
【００３９】
以上説明したように実施の形態１によれば、立体映像鑑賞用メガネ１００の周辺で検出される光量およびフリッカ量の少なくとも一方に応じて、シャッタの開口量を適応的に制御することにより、視聴者が快適に映像を見ることができる。また、光検出センサ１２を立体映像鑑賞用メガネ１００に取り付けることにより、当該メガネ周辺の環境光を正確に検出することができる。また、光量とフリッカ量の重み付けを調整するための操作部を設けることにより、メガネ装着者の個人差または好みを当該開口量に反映させることができる。たとえば、フリッカに敏感なユーザは、上記係数βの値が大きくなるように調整すればよい。
【００４０】
（実施の形態２）
図７は、本発明の実施の形態２に係る映像表示システム５００の構成を示す図である。実施の形態２に係る映像表示システム５００は、図４に示した実施の形態１に係る映像表示システム５００の立体映像鑑賞用メガネ１００に備わっている光検出センサ１２、光量検出部１３およびフリッカ量検出部１４を表示装置２００に持たせた構成である。
【００４１】
以下、実施の形態１と異なる動作について説明する。表示装置２００において、制御部２４は、光検出センサ１２の出力信号から検出されるフリッカ量および光量の少なくとも一方に応じて、右眼用シャッタおよび左眼用シャッタの開口量を制御するための制御信号を生成する。通信部２３は、表示装置２００と立体映像鑑賞用メガネ１００の時分割動作の同期をとるための同期信号と、制御部２４により生成された右眼用シャッタおよび左眼用シャッタの開口量を制御するための制御信号を立体映像鑑賞用メガネ１００に送信する。
【００４２】
立体映像鑑賞用メガネ１００において、通信部１０は、表示装置２００の通信部２３から送信された上記同期信号および上記制御信号を受信する。制御部１５は、当該制御信号に応じて、右眼用シャッタ１８および左眼用シャッタ１９の開口量を制御する。その他の構成および動作は実施の形態１に係る立体映像鑑賞用メガネ１００と同様である。
【００４３】
以上説明したように実施の形態２によれば、基本的に実施の形態１と同様の効果を奏する。また、表示装置２００が予め光検出センサを備えている場合、その光検出センサを転用することができ、立体映像鑑賞用メガネ１００に光検出センサを設ける必要がないため、低コスト化を図ることができる。また、実施の形態１に係る映像表示システム５００と比較し、立体映像鑑賞用メガネ１００の消費電力を低減することができるため、電池の充電回数または交換回数を減らすことができる。
【００４４】
以上、本発明をいくつかの実施の形態をもとに説明した。これらの実施の形態は例示であり、それらの各構成要素や各処理プロセスの組合せにいろいろな変形例が可能なこと、またそうした変形例も本発明の範囲にあることは当業者に理解されるところである。
【００４５】
たとえば、図２、３では、ＯＣＢ型液晶を用いる例を示したが、ＴＮ型、ＩＰＳ型、ＶＡ型またはＭＶＡ型液晶を用いてもよい。
【００４６】
なお、図４では光量検出部１３およびフリッカ量検出部１４の両方を備える構成を説明したが、どちらか一方のみを備える構成であってもよい。すなわち、光検出センサ１２により検出される光量を基礎とせずにフリッカ量を基礎としてシャッタの開口量を制御してもよいし、反対に、フリッカ量を基礎とせずに光量を基礎としてシャッタの開口量を制御してもよい。図７についても同様である。また、上記係数αと上記係数βの値の組み合わせを（０，１）、または（１，０）と設定することによっても、同様の制御を実現することができる。
【符号の説明】
【００４７】
１００  立体映像鑑賞用メガネ、  １０  通信部、  １１  同期調整部、  １２  光検出センサ、  １３  光量検出部、  １３１  電流−電圧変換回路、  １３２  Ａ／Ｄ変換器、  １４  フリッカ量検出部、  １４１  フィルタ回路、  １４２  整流回路、  １４３  積分回路、  １４４  Ａ／Ｄ変換器、  １５  制御部、  １５１  光量／印加電圧変換テーブル、  １５２  フリッカ量／印加電圧変換テーブル、  １５３  演算部、  １５４  タイミング調整部、  １６  右眼用シャッタ駆動部、  １７  左眼用シャッタ駆動部、  １８  右眼用シャッタ、  １９  左眼用シャッタ、  ３０  操作部、  ２００  表示装置、  ２１  映像保持部、  ２２  投写部、  ２３  通信部、  ２４  制御部、  ３００  投影面、  ５００  映像表示システム。
【図１】
2012109783.tif 000003
【図２】
2012109783.tif 000004
【図３】
2012109783.tif 000005
【図４】
2012109783.tif 000006
【図５】
2012109783.tif 000007
【図６】
2012109783.tif 000008
【図７】
2012109783.tif 000009